(57)【要約】      （修正有）【課題】環状の一箇所に半径方向に切断切れ目を有して、上記電極ポストに半径方向から嵌装可能で、車両等の電力供給先への電気系統を遮断させずに交換可能なバッテリー端子用保護シートを簡易に嵌装することができる装着用工具を提供する。【解決手段】バッテリー端子用保護シート５０は、保護油が含浸されてバッテリー端子金具３の下方に位置される可撓性の環状の保護シート５０であって、その環状の一箇所に半径方向に切断切れ目が設けられていて、上記電極ポスト２に半径方向から嵌装可能になっている。装着用工具６０は、保護シート５０の外周部を直径方向両側において収納し保持する溝を内側面に備えたＵ字形腕と、該Ｕ字形腕のＵ字形底部から斜め上方に延在させた握り部とを具備し、上記Ｕ字形腕を上位置のバッテリー端子金具３の下方に位置させ得る厚さとし、上記Ｕ字形腕及び握り部の双方又は一方を保護材料で形成する。【選択図】    図６
2005222955.tif 000002
【特許請求の範囲】
【請求項１】
中央孔を有し、半径方向に切断切れ目が設けられて環状をなし、保護油が含浸されてバッテリー端子金具下方位置の電極ポストに半径方向から嵌装される可撓性のバッテリー端子用保護シートの装着用工具であって、
該保護シートの外周部を直径方向両側において収納し保持する溝を内側面に備えたＵ字形腕と、該Ｕ字形腕のＵ字形底部から延在させた握り部とを具備し、上記Ｕ字形腕を上位置のバッテリー端子金具の下方に位置させ得る厚さとし、上記Ｕ字形腕及び握り部の双方又は一方を保護材料で形成したことを特徴とするバッテリー端子用保護シートの装着用工具。
【請求項２】
上記握り部を上記Ｕ字形腕のＵ字形底部かから斜め上方に延在させたことを特徴とする請求項２記載のバッテリー端子用保護シートの装着用工具。
【発明の詳細な説明】
【技術分野】
【０００１】
本発明は電極ポストからバッテリーケースに流れるリーク電流を阻止するためのバッテリー端子用保護シートを電極ポストに嵌装する際に用いる装着用工具に関する。
【背景技術】
【０００２】
従来、車載用バッテリーの端子は、例えば図７に示すように、バッテリー本体１から給電用端子として突設された電極ポスト２に対し、電源コード４の端部に設けられたバッテリー端子金具（プラグ）３を上記電極ポスト２の外周に挟着把持させ導通させる構造となっている（例えば、特許文献１参照）。 
また、最近では、このバッテリー端子の電極ポスト２には、電極ポスト２からバッテリーケースに流れるリーク電流を阻止するため、バッテリーターミナルプロテクター（ＢＴＰ）と称される保護シート５が嵌装される。これはバッテリーの延命・放電防止を目的として、バッテリー端子の電極ポスト２に嵌装されるもので、保護油が含浸されてバッテリー端子金具３の下方に位置される円環状の保護シートから成り、中央孔を有する。
【０００３】
上記バッテリー端子用保護シート５は、その保護性が経時的に劣化するため、例えば３年程度を目安にして、保護シート全体を交換する必要が生じる。この保護シートの交換は、従来、次の手順によって行われている。すなわち、保護シートは、その中央孔がバッテリー端子の電極ポスト２に嵌装されていて直接には取り外せないことから、保護シート交換の前提として、まずバッテリー端子金具３を上記電極ポスト２から離脱させていた。
【特許文献１】特開２００１−２９７８０８号公報
【発明の開示】
【発明が解決しようとする課題】
【０００４】
しかしながら、車載用バッテリーの端子は、車載された時計、ラジオといった各種の電子機器に接続されており、これらは予め正確な時刻の設定、放送局の選局設定などが行われていることが多い。
【０００５】
従って、バッテリー端子用保護シートの交換を目的として、バッテリー端子金具を上記電極ポストから離脱させてしまうと、車自体の電気系統が遮断され、上記電子機器への給電が一時的に全て断たれるため、それらの時計の時刻設定や、ラジオの選局設定などの記憶がリセットされて消えてしまう、という不都合な状況が発生する。
【０００６】
なお、この種の問題は４輪車を代表とする自動二輪車やジェットスキー等の車載用のバッテリーに限らず、バッテリーを電源とする種々の電子制御機器にも生じるものである。
【０００７】
そこで、本発明の目的は、上記課題を解決し、消費先への電気供給を遮断させずにバッテリー端子用保護シートを交換することができる構造のバッテリー端子用保護シートの装着用工具を提供することにある。
【課題を解決するための手段】
【０００８】
上記目的を達成するため、本発明にあっては、中央孔を有し、半径方向に切断切れ目が設けられて環状をなし、保護油が含浸されてバッテリー端子金具下方位置の電極ポストに半径方向から嵌装される可撓性のバッテリー端子用保護シートの装着用工具を、次のように構成する。
【０００９】
即ち、上記バッテリー端子用保護シートの外周部を直径方向両側において収納し保持する溝を内側面に備えたＵ字形腕と、該Ｕ字形腕のＵ字形底部から延在させた握り部とを具備し、上記Ｕ字形腕を上位置のバッテリー端子金具の下方に位置させ得る厚さとし、上記Ｕ字形腕及び握り部の双方又は一方を保護材料で形成したことを特徴とする。
【００１０】
また、上記バッテリー端子用保護シートの装着用工具において、上記握り部を上記Ｕ字形腕のＵ字形底部かから斜め上方に延在させることを特徴とする。
【発明の効果】
【００１１】
上記構成に係る本発明のバッテリー端子用保護シートの装着用工具によれば、次のような優れた効果が得られる。
【００１２】
即ち、中央孔と半径方向の切断切れ目とを有して環状に形成され、保護油が含浸されてバッテリー端子金具の下方位置の電極ポストに半径方向から嵌装される可撓性の環状の保護シートを、その半径方向の切断切れ目部分から、上記電極ポストに嵌装するにあたって、バッテリー端子用保護シートの装着用工具は、バッテリー端子用保護シートの外周部を直径方向両側において収納し保持する溝を内側面に備えたＵ字形腕と、該Ｕ字形腕のＵ字形底部から延在させた握り部とを具備し、上記Ｕ字形腕を上位置のバッテリー端子金具の下方に位置させ得る厚さとし、上記Ｕ字形腕及び握り部の双方又は一方を保護材料で形成したので、この装着用工具を使用することにより、バッテリー端子金具の下方の狭い隙間に、容易に且つ感電することなくバッテリー端子用保護シートを差し込むことができる。
【００１３】
また、上記握り部を上記Ｕ字形腕のＵ字形底部かから斜め上方に延在させることで、直線的な場合に較べ、上記差し込み操作を容易に行うことができる。
【発明を実施するための最良の形態】
【００１４】
以下、本発明を図示の実施形態に基づいて説明する。  
図１は本発明に係る装着用具を用いて嵌装するバッテリー端子用保護シートの平面図、図２はこれをバッテリー端子に嵌装した状態を示す図である。なお、従来の図７と機能的に同じ要素には同一の符号を付す。
【００１５】
図１に示すバッテリー端子用保護シート５は、バッテリー端子の電極ポスト２に嵌装される中央孔５１を有し、保護油が含浸されてバッテリー端子金具３の下方に位置される円環状の保護シート５０から成る。保護シート５０は、撓み性のある材料、ここではフェルトから成る。保護シート５０には、その円環状の一箇所に半径方向に切断切れ目５２を設けてあり、上記電極ポスト２に半径方向から嵌装可能にしてある。
【００１６】
バッテリー端子金具３は、円筒状巻き付け部及びその開放端部３２を有する巻き付け金具３０と、その両開放端部を閉じ合わせる方向に締め付ける締付ボルト３３を備えており、締付ボルト３３を緩めることにより、巻き付け金具３０を電極ポスト２に沿って上方（上位置）に摺動させることが可能になる。
【００１７】
このようにバッテリー端子金具３を上方（上位置）に移動させた状態で、保護シート５０を電極ポスト２の半径方向に引っ張ると、切断切れ目５２が通り道となって保護シート５０を電極ポスト２から引き出すことができる。このときバッテリー端子金具３は電極ポスト２に接続されたままであり、例えば車載された電子機器への給電が断たれることがない。
【００１８】
また保護シート５０を電極ポスト２に嵌装させる場合も、バッテリー端子金具３を上方（上位置）に移動させた状態で、保護シート５０を電極ポスト２の半径方向内側に押し込むと、切断切れ目５２が通り道となって保護シート５０が電極ポスト２に嵌装され、差し込まれる。このときもバッテリー端子金具３は電極ポスト２に接続されたままであり、車載された電子機器等への給電が断たれることがない。
【００１９】
しかし、巻き付け金具３０を電極ポスト２に沿って上方（上位置）に移動させた後にできる隙間はあまり広くないことから、上記引き出し及び差し込みの操作、特に差し込みの操作は比較的面倒である。また、電極ポスト２に直接に触れると感電するという問題もある。
【００２０】
図３はこの不都合を回避するための装着用工具の上面図、図４は側面図、図５は正面図である。
【００２１】
この装着用工具６０は保護材料から成り、上記保護シート５０の外周部を保持するＵ字形腕６１と、該Ｕ字形腕のＵ字形底部から延在させた握り部６２とを有する。Ｕ字形腕６１の内側面には溝６３が設けられており、上記保護シート５０の外周部を直径方向両側において収納し保持することができるようになっている。Ｕ字形腕６１は、上方（上位置）に移動させたバッテリー端子金具３の下方の隙間に位置させ得る厚さとなっている。また、握り部６２は、上記Ｕ字形腕のＵ字形底部かから後端にかけて斜めに上方に延在されており、差し込み操作時に扱いやすくなっている。
【００２２】
保護シート５０を交換する際には、締付ボルト３３を緩めて、バッテリー端子金具３を上方（上位置）に摺動移動させた状態で、使用済みの保護シート５０を電極ポスト２の半径方向外側に引っ張り、切断切れ目５２にて引き出す。
【００２３】
その後、図３に示すように、Ｕ字形腕６１の溝６３内に保護シート５０の外周部を直径方向両側において収納し、切断切れ目５２を差し込み方向前方側に配置して保持する。この状態で、装着用工具６０のＵ字形腕６１を、バッテリー端子金具３の下方の隙間内にシーラー（前進）させ、図６（ａ）に示すように、Ｕ字形腕６１内の保護シート５０を電極ポスト２の中心に位置させる。
【００２４】
保護シート５０は撓み性があるフェルトから成り、また環状の一箇所に半径方向に切断切れ目５２を備えているため、上記前進過程において、電極ポスト２に当たると、保護シート５０は切断切れ目５２の両側に開拡し、電極ポスト２の両側に逃げながら電極ポスト２を通過し、最終的には電極ポスト２を囲繞する状態、すなわち電極ポスト２に保護シート５０を差し込んだ状態となる。
【００２５】
その後、装着用工具６０を後退させてＵ字形腕６１をバッテリー端子金具３の下方の隙間から抜き出すと、保護シート５０だけは、その可撓性により切断切れ目５２が閉じて電極ポスト２に引っかかるため、電極ポスト２を囲繞する状態に残る。
【００２６】
この後、図６（ｂ）に示すように、上方（上位置）に移動させたバッテリー端子金具３を下方（下位置）に戻し、締付ボルト３３を締め付ける。これにより車両等の電力供給先への電気系統を遮断させずにバッテリー端子用保護シート５を交換することができたことになる。
【００２７】
上記保護シートは、可撓性のあるシート基材に保護油を含浸させたものであれば良い。シート基材としては、電気保護シートとして公知のものが全て使用できる。例えば、シンジオタクチックペンタッド分率が０．７以上であり且つ２３０℃におけるＭＦＲが０．１〜２０ｇ／１０分のシンジオタクチックポリプロピレンの層とセルロース紙の層とが互いに積層結合してなる電気保護シートが使用できる。ブタジエンゴム、クロロプレンゴム、ブチルゴム、シリコンゴムなどの弾性体も使用できる。また、保護油についても、鉱油、シリコーン油、重合炭化水素油等が使用できる。
【図面の簡単な説明】
【００２８】
【図１】本発明のバッテリー端子用保護シートの平面図である。
【図２】本発明のバッテリー端子用保護シートをバッテリー端子に嵌装した状態を示す図である。
【図３】本発明の装着用工具の上面図である。
【図４】本発明の装着用工具の側面図である。
【図５】本発明の装着用工具の正面図である。
【図６】本発明のバッテリー端子用保護シートの交換手順を示したもので、（ａ）は装着用工具により保護シートを差し込んだ状態を示した図、（ｂ）は装着用工具を除去しバッテリー端子金具を元に戻した状態を示した図である。
【図７】従来のバッテリー端子の構造を示した図である。
【符号の説明】
【００２９】
１  バッテリー本体
２  電極ポスト（給電用端子）
３  バッテリー端子金具
４  電源コード
５  保護シート
３０  巻き付け金具
３２  開放端部
３３  締付ボルト
５０  円環状の保護シート
５１  中央孔
５２  切断切れ目
６０  装着用工具
６１  Ｕ字形腕
６２  握り部
６３  溝
【図１】
2005222955.tif 000003
【図２】
2005222955.tif 000004
【図３】
2005222955.tif 000005
【図４】
2005222955.tif 000006
【図５】
2005222955.tif 000007
【図６】
2005222955.tif 000008
【図７】
2005222955.tif 000009